(57)【要約】【課題】飲料の購入者が種類の異なる飲料をそれぞれ別個の容器で購入しまた所持する必要がなく、飲料を販売する者にとっては、これまで使用されている容器をそのまま使用することができる新規な小分け用容器又は飲料用容器を提案する。【解決手段】上部に開口２ａを有する容器本体２内に配置され、内部にジュース，コーヒー或いはシェイク等の飲料が収容される小分け用容器３，４であって、上記容器本体２の内側面に対向する側板部３ｃ，４ｃと、上記容器本体２の底板２ｂ面上に載置される底板部３ｂ，４ｂと、一又は複数の仕切り板部３ｄ，４ｄと、を有し、上部には開口３ａ，４ａが形成されてなる。【選択図】        図１
2007331756.tif 000002
【特許請求の範囲】
【請求項１】
上部に開口を有する容器本体内に配置され、内部にジュース，コーヒー或いはシェイク等の飲料が収容される小分け用容器であって、
上記容器本体の内側面に対向する側板部と、上記容器本体の底板部上に載置される底板部と、一又は複数の仕切り板部とを有し、上部には開口が形成されてなる小分け用容器。
【請求項２】
上部に円形状の開口を有し、逆円錐台状に成形されてなる容器本体内に配置され、内部にジュース，コーヒー或いはシェイク等の飲料が収容される小分け用容器であって、
上記容器本体の内周面に対向するとともに曲率が上記容器本体の曲率に対応してなる側板部と、上記容器本体の底板面に下面が載置されるとともに半円状又は扇形状に成形された底板部と、逆台形状に成形された一又は複数の仕切り板部とを有し、上部には半円状又は扇形状の開口が形成されてなる小分け用容器。
【請求項３】
上部に円形状の開口が形成され逆円錐状に成形された容器本体と、
上記容器本体の内周面に対向するとともに曲率が上記容器本体の曲率に対応してなる側板部と、上記容器本体の底板面に下面が載置されるとともに半円状又は扇形状に成形された底板部と、逆台形状に成形された一又は複数の仕切り板部とを有し、上部には半円状又は扇形状の開口が形成されてなる一又は複数の小分け用容器と、
を備えてなることを特徴とする飲料用容器。
【請求項４】
上部に円形状の開口が形成され逆円錐状に成形された容器本体と、
上記容器本体の内周面に対向するとともに曲率が上記容器本体の曲率に対応してなる側板部と、上記容器本体の底板面に下面が載置されるとともに半円状に成形された底板部と、逆台形状に成形された一の仕切り板部とを有し、上部には半円状の開口が形成されてなる第１及び第２の小分け用容器と、を備え、
上記容器本体内には、上記第１の小分け用容器と第２の小分け用容器とが、該第１の小分け用容器を構成する仕切り板部と第２の小分け用容器を構成する仕切り板部とが対向した状態で収容されてなることを特徴とする飲料用容器。
【請求項５】
上部に円形状の開口が形成され逆円錐状に成形された容器本体と、
上記容器本体の内周面に対向するとともに曲率が上記容器本体の曲率に対応してなる側板部と、上記容器本体の底板面に下面が載置されるとともに扇形状に成形された底板部と、逆台形状に成形された一方及び他方の仕切り板部とを有し、上部には扇形状の開口が形成されてなる３つ以上の小分け用容器と、を備え、
上記容器本体内には、上記３つ以上の小分け用容器が互いに上記一方又は他方の仕切り板部が互いに対向した状態で収容されてなることを特徴とする飲料用容器。
【発明の詳細な説明】
【技術分野】
【０００１】
本発明は、ジュース，コーヒー或いはシェイク等の飲料を飲用する際に使用される小分け用容器又は飲料用容器に関するものである。
【背景技術】
【０００２】
これまで、例えばファーストフード店、コンビニエンスストア等では、ジュース，コーラ等の清涼飲料、コーヒーココア等或いは細かく砕かれた氷とアイスクリームとが混合されたシェイク等の飲料が販売されている。こうした飲料の殆どは、紙又は発泡スチロール等の素材により逆円錐状に成形された容器内に収容又は充填され、上部に形成された開口を蓋体により閉塞した状態で販売されている。なお、この蓋体には、ストローが突き刺されるＸ字状のスリットが形成され、購入者はこのスリットからストローを内部に突き刺して内部の飲料を飲用する場合が多い。
【０００３】
ところで、こうした飲料が収容される容器は、大中小等の複数のサイズのものが用意され、販売過程においては、購入者の要望に従ったサイズの容器に飲料を充填して販売する形態が採用されている。しかしながら、販売されている飲料の種類は、上述したように、ジュースやコーラ等の清涼飲料以外に、コーヒーや紅茶或いはシェイク等のように、多種多様である一方、容器のサイズは大中小に限定されていることから、複数の種類の飲料（例えば、アイスコーヒーとバニラシェイク）を同時に飲用したいと考える場合には、複数の飲料を購入し、複数の容器を手で持ちながら飲用せざるを得ず、極めて面倒であるばかりか、サイズは限定されていることから、全部を飲用することなく廃棄されてしまうことも多い。こうした課題を解決するために、従来では、容器本体の内側に仕切り板を設け、この仕切り板により仕切られたスペースにそれぞれの飲料が独立して収容することができきる飲料（用）容器が提案されている（特許文献１参照）。
【特許文献１】特開２００３−２１２２４１号公報
【発明の開示】
【発明が解決しようとする課題】
【０００４】
しかしながら、上記従来の飲料（用）容器では、従来使用されている容器をそのまま使用することができなくなるばかりか、仕切り板と容器本体との間が精密にシールされていなければならず、製造上コスト高とならざるを得ない。また、この飲料（用）容器では、容器を重ねて保管することもできない。
【０００５】
そこで、本発明は、上述した従来の飲料用容器が有する課題を解決するために提案されたものであって、飲料の購入者が種類の異なる飲料をそれぞれ別個の容器で購入しまた所持する必要がなく、飲料を販売する者にとっては、これまで使用されている容器をそのまま使用することができる新規な小分け用容器又は飲料用容器を提案することを目的とするものである。
【課題を解決するための手段】
【０００６】
本発明は、上述した目的を達成するために提案されたものであり、第１の発明（請求項１記載の発明）は、上部に開口を有する容器本体内に配置され、内部にジュース，コーヒー或いはシェイク等の飲料が収容される小分け用容器であって、上記容器本体の内側面に対向する側板部と、上記容器本体の底板部上に載置される底板部と、一又は複数の仕切り板部とを有し、上部には開口が形成されてなるものである。
【０００７】
この第１の発明に係る小分け用容器は、これまで使用されている容器本体内に配置できるサイズのものであれば良く、少なくとも、上記容器本体の内側面に対向する側板部と、上記容器本体の底板部上に載置される底板部と、一又は複数の仕切り板部とを有し、上部には開口が形成されていれば良い。また、この小分け用容器の素材は特に限定されるものではないが、成形やコストの点から樹脂を素材とすることが望ましい。また、小分け用容器を構成する側板部は、容器本体の内側面と対向している必要があるが、必ずしも、この側板部が容器本体の内側面と離間している必要はなく、接している場合であっても良い。また、この小分け用容器は、色に付いては勿論、透明であるか否かに付いても特に限定されるものではない。また、この小分け用容器を構成する仕切り板部は、単数でも複数でも良い。すなわち、この仕切り板部の開口の平面形状が半円状である場合には、仕切り板部は単数となり、扇形状である場合には、２つの仕切り板部が形成されることとなる。さらに、容器本体内の外側に複数の小分け用容器を配置し、中央に飲料が充填されるスペースが形成される場合には、３つ又はそれ以上の仕切り板部が形成されることとなる。
【０００８】
なお、この小分け用容器の使用態様に付いて説明すると、従来の容器本体内に、単数の小分け用容器を配置して使用する場合でも、複数の小分け用容器を配置して使用する場合であっても良い。単数の小分け用容器を配置する場合には、該小分け用容器に、特定の種類の飲料（例えば、コーヒー飲料）を充填し、該小分け用容器の外側のスペースに他の種類の飲料（例えば、シェイク）を充填することができる。また、二つの小分け用容器を容器本体内に配置し、一方の小分け用容器と他方の小分け用容器に別々の種類の飲料を充填する方法であっても良い。
【０００９】
また、第２の発明（請求項２記載の発明）は、上部に円形状の開口を有し、逆円錐台状に成形されてなる容器本体内に配置され、内部にジュース，コーヒー或いはシェイク等の飲料が収容される小分け用容器であって、上記容器本体の内周面に対向するとともに曲率が上記容器本体の曲率に対応してなる側板部と、上記容器本体の底板面に下面が載置されるとともに半円状又は扇形状に成形された底板部と、逆台形状に成形された一又は複数の仕切り板部とを有し、上部には半円状又は扇形状の開口が形成されてなるものである。
【００１０】
この第２の発明に係る小分け用容器は、逆円錐台状に成形された容器本体に配置されるものであり、こうした形状に対応した側板部を有し、底板部の形状も開口の形状も半円状又は扇形状とされている。なお、素材その他に付いては、上記第１の発明と同様である。
【００１１】
また、第３の発明（請求項３記載の発明）は、飲料用容器に係るものであって、上部に円形状の開口が形成され逆円錐状に成形された容器本体と、上記容器本体の内周面に対向するとともに曲率が上記容器本体の曲率に対応してなる側板部と、上記容器本体の底板面に下面が載置されるとともに半円状又は扇形状に成形された底板部と、逆台形状に成形された一又は複数の仕切り板部とを有し、上部には半円状又は扇形状の開口が形成されてなる一又は複数の小分け用容器と、を備えてなることを特徴とするものである。
【００１２】
また、第４の発明（請求項４記載の発明）は、上記第３の発明と同じように、飲料用容器に係るものであって、上部に円形状の開口が形成され逆円錐状に成形された容器本体と、上記容器本体の内周面に対向するとともに曲率が上記容器本体の曲率に対応してなる側板部と、上記容器本体の底板面に下面が載置されるとともに半円状に成形された底板部と、逆台形状に成形された一の仕切り板部とを有し、上部には半円状の開口が形成されてなる第１及び第２の小分け用容器と、を備え、上記容器本体内には、上記第１の小分け用容器と第２の小分け用容器とが、該第１の小分け用容器を構成する仕切り板部と第２の小分け用容器を構成する仕切り板部とが対向した状態で収容されてなることを特徴とするものである。
【００１３】
なお、この第４の発明においては、第１の小分け用容器を構成する仕切り板部と第２の小分け用容器とが、該第１の小分け用容器を構成する仕切り板部と第２の小分け用容器を構成する仕切り板部とが対向した状態で収容されてなることが必要であるが、これらの側板部は、必ずしも離間している必要はなく、接しているものであっても良い。
【００１４】
また、第５の発明（請求項５記載の発明）は、上記第３及び第４の発明と同じように、飲料用容器に係るものであって、上部に円形状の開口が形成され逆円錐状に成形された容器本体と、上記容器本体の内周面に対向するとともに曲率が上記容器本体の曲率に対応してなる側板部と、上記容器本体の底板面に下面が載置されるとともに扇形状に成形された底板部と、逆台形状に成形された一方及び他方の仕切り板部とを有し、上部には扇形状の開口が形成されてなる３つ以上の小分け用容器と、を備え、上記容器本体内には、上記３つ以上の小分け用容器が互いに上記一方又は他方の仕切り板部が互いに対向した状態で収容されてなることを特徴とするものである。
【００１５】
なお、この第５の発明を構成する小分け用容器は、３つ以上容器本体に収容されていることが必要であり、個々の小分け用容器には、一方及び他方の仕切り板部が形成され、特定の小分け用容器を構成する一方の仕切り板部と、この小分け用容器に隣り合う他の小分け用容器を構成する他方の仕切り板部とが互いに対向した状態で収容されてなるものである。なお、これらの小分け用容器は、全てが同一の形状となされている必要はなく、例えば、第１ないし第３の小分け用容器が容器本体に収容されている場合において、第１及び第２の小分け用容器は、容器本体内に収容された状態を平面から観察した状態において、それぞれ約１００度／３６０度の占有容量を有し、第３の小分け用容器は、約１６０度／３６０度の占有容量を有している場合のように、小分け用容器毎に占有容量が異なるものであっても良い。
【発明の効果】
【００１６】
上記第１の発明（請求項１記載の発明）に係る小分け用容器によれば、容器本体内に一又は複数配置することにより、それぞれ容器本体内を仕切ることができ、複数種類の飲料を飲用することができる。しかも、こうした小分け用容器を使用することにより、従来使用されてきた容器本体に設計変更を加える必要がなく、そのまま使用することができ、これまでのように容器本体を積み重ねた状態で保管することもでき、仕切り板を設けるという従来の飲料（用）容器のように、製造コストが高額となることも避けることができる。また、飲料を購入する者にとっては、複数種類の飲料を飲用する場合において、複数の容器（本体）を購入し所持しながらハンバーグやサンドイッチ等を食するという不便を解消することができ、さらには、別々に購入して余った飲料を廃棄せざるを得ない事態も防止することができる。
【００１７】
また、第２の発明（請求項２記載の発明）及び第３の発明によれば、小分け用容器を重ねて保管することができ、保管する際に嵩張ることを有効に防止することができる。特に、底板部が半円状に成形され、上部には半円状の開口が形成されている小分け用容器によれば、一つの小分け用容器を容器本体内に配置した場合、それが周回り方向に移動することはあっても、容器本体内で傾くことはないので、該小分け用容器内に充填された飲料がこぼれ他の飲料と混ざってしまう危険性はなく、ストローで飲用する場合においては何らの支障がない。
【００１８】
また、第４の発明（請求項４記載の発明）では、容器本体内には、上記第１の小分け用容器と第２の小分け用容器とが、該第１の小分け用容器を構成する仕切り板部と第２の小分け用容器を構成する仕切り板部とが対向した状態で収容されてなることから、単に、第１の小分け用容器と第２の小分け用容器内にそれぞれ異なる種類の飲料を充填することができるばかりではなく、互いの飲料の温度が影響し合うことを抑制することができる。すなわち、例えば、第１の小分け用容器に、ホットコーヒーを充填し、第２の小分け用容器に冷たいシェイクを充填した場合であっても、該第１の小分け用容器を構成する仕切り板部と第２の小分け用容器を構成する仕切り板部とは対向してなるこいとから、熱伝導時間が遅く、短時間内にホットコーヒーが冷め、シェイクが暖められることを防止することができる。また、同様に、各飲料は、第１及び第２の小分け用容器内に充填され、容器本体に直接接することがないので、熱い飲料を充填する場合であっても、熱伝導率の低い素材で容器本体を成形する必要性はなく、さらには、上記第１及び第２の小分け用容器により、容器全体の保形成（強度）が増すこととなり、この結果、この第４の発明によれば、容器本体に用いる素材の選択の自由度を広げることができる。しかも、さらに、この第４の発明によれば、容器本体に飲料が付着する可能性が低いので、容器本体を再利用することも可能となる。
【００１９】
また、第５の発明（請求項５記載の発明）によれば、より多種類の飲料を飲用することができる。
【発明を実施するための最良の形態】
【００２０】
以下、本発明を実施するための最良の形態に係る各飲料用容器１を、図面を参照しながら詳細に説明する。
【００２１】
この飲料用容器１は、図１に示すように、容器本体２と、第１及び第２の小分け用容器３，４と、蓋体５とから構成されている。上記容器本体２は、これまでファーストフード店やコンビニエンスストア等で使用されている容器であり、上部に円形状の開口２ａを有し、逆円錐台状に成形されている。なお、この容器本体２は、防水性を有する紙が素材とされてなるものであり、上記開口２ａよりも小径となされた底板部２ｂと、側板部２ｃとから構成されている。また、上記第１及び第２の小分け用容器３，４は、共に同一の形状に一体成形されてなるものであり、本実施の形態においては、透明の樹脂が素材とされている。また、上記第１及び第２の小分け用容器３，４は、それぞれ本発明を構成する小分け用容器であり、それぞれ半円状の開口３ａ，４ａが上部に形成されてなるものであって、それぞれ半円状に成形された底板部３ｂ，４ｂと、側板部３ｃ，４ｃと、仕切り板部３ｄ，４ｄとから構成されている。上記各側板部３ｃ，４ｃは、それぞれ上記容器本体２を構成する側板部２ｃの曲率と略同じ曲率となされ、本実施の形態においては、それぞれ上端外周には、それぞれ上記側板部３ｃ，４ｃよりもやや大径とされた大径部３ｅ，４ｅが形成されている。また、上記各仕切り板部３ｄ，４ｄは、それぞれ逆台形状に成形されている。また、上記蓋体５は、円板状に成形された蓋部５ａと、この蓋部５ａの周端から垂下してなるリング状の枠部５ｂとから構成され、上記蓋部５ａには、それぞれストロー６，７が突き刺さされるＸ字状のスリット５ｄ，５ｅが形成されている。
【００２２】
図２及び図３は、それぞれ上記容器本体２内に、上記第１及び第２の小分け用容器３，４が収容された状態を示すものであり、該第１の小分け用容器３と第２の小分け用容器４とにより、容器本体２内が等分に分割されており、図３に示すように、該１及び第２の小分け用容器３，４の上端と容器本体２の上端とは略面一とされている。
【００２３】
なお、こうした構成に係る飲料用容器１の使用方法を簡単に説明すると、購入者の要望により、２種類の飲料（例えば、ホットコーヒーとシェイク）を販売する場合には、上記第１の小分け用容器３と第２の小分け用容器４とを予め上記容器本体２内に収容・配置し、該第１の小分け用容器３内に、図示しない一方の飲料（例えば、ホットコーヒー）を充填し、次いで、上記第２の小分け用容器４内に他方の飲料（例えば、シェイク）を充填する。言うまでもなく、このように第１及び第２の小分け用容器３，４を容器本体２内に収容する前段階において、該第１の小分け用容器３と第２の小分け用容器４内にそれぞれ異なる種類の飲料を充填した後に、上記容器本体２内に収容することもできる。この場合、この実施の形態に係る第１及び第２の小分け用容器３，４は、透明な樹脂により成形されていることから、充填された飲料の種類を目視し易く誤って購入者の要望と異なる種類の飲料を販売する危険性を防止することができる。そして、このように、第１及び第２の小分け用容器３，４内に所定の種類の飲料が充填された場合には、次いで、上記蓋体５により容器本体２の開口２ａを閉塞し、さらに、上記各スリット５ｄ，５ｅからストロー６，７を突き刺し購入者に提供する。
【００２４】
このように、上記実施の形態に係る飲料用容器１（或いは小分け用容器３，４）によれば、二種類の飲料を同時に手にして飲用することができ（或いは、同じ種類の飲料を二人で飲用することができ）、従来のように、二つの飲料をそれぞれ別個に購入し手にする必要性がなく、極めて使い勝手が良いばかりではなく、二種類の飲料を別個に購入した結果、余った飲料を廃棄することも防止することができる。また、こうした小分け用容器３，４を使用することにより、従来使用している容器本体２をそのまま使用することができ、これまでのように上下に重ねた状態で保管することもできる。さらに、この実施の形態に係る飲料用容器１では、第１及び第２の小分け用容器３，４を内部に収容・配置してなるものであり、該第１及び第２の小分け用容器３，４は、同一形状となされ、容器本体２の内部の占有率を略２分していることから、保形性に優れ、手指で強く把持した場合であっても変形する危険性が少ない。また、第１及び第２の小分け用容器３，４内に充填された飲料の温度が高温である場合でも、熱伝導率を低下させることができる。したがって、この実施の形態に係る飲料用容器１（或いは小分け用容器３，４）によれば、これまで使用されている容器本体２の素材をやや保形性に劣り或いは熱伝導率が高い素材に変更することも可能となる。特に、上記実施の形態に係る第１及び第２の小分け用容器３，４では、側板部３ｃ，４ｃの上端に大径部３ｅ，４ｅが形成され、図３に示すように、該第１及び第２の小分け用容器３，４が容器本体２内に配置された場合には、該第１及び第２の小分け用容器３，４の側板部３ｃ，４ｃの外周面と容器本体２の側板部２ｃの内周面とはやや離間されていることから、手指に飲料の温度が伝わりにくくより一層使い勝手が良い。
【００２５】
なお、上記実施の形態に係る飲料用容器１では、二つの（第１及び第２の）小分け用容器３，４を容器本体２内に配置したものであるが、一つの（例えば、上記第１の）小分け用容器３）を容器本体２内に配置しても良い。このように、一つの小分け用容器３を容器本体２内に配置した場合であっても、二種類の飲料を分けて充填することができるとともに、該容器本体２の形状が逆円錐台状に成形され、該小分け用容器３が、容器本体２を左右に約等分に分割した形状とされていることから、小分け用容器３のみが傾斜して内部に充填された飲料が他の種類の飲料と混ざり合ったり、該小分け用容器３が容器本体２内で不安定に遊動したりする危険性もない。
【００２６】
次に、本発明の第２の実施の形態に係る飲料用容器１１に付いて図面を参照しながら詳細に説明する。この飲料用容器１１は、図４に示すように、容器本体１２と、第１ないし第３の小分け用容器１３・・・１５とから構成されたものである。なお、上記容器本体１２は、先に説明した容器本体２と同様の構成であることから説明を省略する。上記第１ないし第３の小分け用容器１３・・・１５は、何れも透明な樹脂により同一形状に一体成形されてなるものであり、上部には、扇形状の開口１３ａ・・・１５ａが形成され、個々の小分け用容器１３・・・１５は、容器本体１２の内部を３等分するものである。また、これら第１ないし第３の小分け用容器１３・・・１５は、それぞれ本発明を構成する小分け用容器であり、それぞれ扇形状に成形された底板部１３ｂ・・・１５ｂと、側板部１３ｃ・・・１５ｃと、一方及び他方の仕切り板部１３ｄ・・・１５ｄ，１３ｅ・・・１５ｅとから構成されている。上記各側板部１３ｃ・・・１５ｃは、それぞれ上記容器本体１２を構成する側板部１２ｃの曲率と略同じ曲率となされ、本実施の形態においては、それぞれ上端外周には、それぞれ上記側板部１３ｃ・・・１５ｃよりもやや大径とされた大径部１３ｆ・・・１５ｆが形成されている。また、上記各一方及び他方の仕切り板部１３ｄ・・・１５ｄ，１３ｅ・・・１５ｅは、それぞれ逆台形状に成形されている。なお、第１の実施の形態で説明した蓋体等の説明は省略する。
【００２７】
上述した第２の実施の形態に係る飲料用容器１１によれば、３種類の飲料を一つの容器本体１２内に分割して充填し飲用することができ、より一層使い勝手が良い。
【００２８】
このように、上述した小分け容器３，４，１３・・・１５や或いはこの（これらの）小分け用容器３，４，１３・・・１５が配置・収容された飲料用容器１，１１によれば、これまで使用されてきた飲料用容器をそのまま設計変更することなく使用することができ、飲料の購入者にとっては、複数種類の飲料をそれぞれ別個の飲料用容器に充填して所持する必要がなく、さらに、手指に飲料の温度が短時間に伝わることがなく、保形性にも優れており、手指で強く握った場合でも容易に変形してしまう危険性もなくなり極めて使い勝手が良い。
【図面の簡単な説明】
【００２９】
【図１】本発明の第１の実施の形態に係る飲料容器を分解して示す分解斜視図である。
【図２】容器本体内に第１及び第２の小分け用容器を配置・収容した状態を示す平面図である。
【図３】図２に示す容器本体と第１及び第２の小分け用容器の側断面図である。
【図４】本発明の第２の実施の形態に係る飲料用容器を分解して示す分解斜視図である。
【符号の説明】
【００３０】
１    飲料用容器
２    容器本体
２ａ    開口
２ｂ    底板部
２ｃ    側板部
３    第１の小分け用容器
３ａ    開口
３ｂ    底板部
３ｃ    側板部
３ｄ    仕切り板部
４    第２の小分け用容器
４ａ    開口
４ｂ    底板部
４ｃ    側板部
４ｄ    仕切り板部
１１    飲料用容器
１２    容器本体
１２ａ    開口
１２ｂ    底板部
１２ｃ  側板部
１３    第１の小分け用容器
１３ａ    開口
１３ｂ    底板部
１３ｃ    側板部
１３ｄ    一方の仕切り板部
１３ｅ    他方の仕切り板部
１４    第２の小分け用容器
１４ａ    開口
１４ｂ    底板部
１４ｃ    側板部
１４ｄ    一方の仕切り板部
１４ｅ    他方の仕切り板部
１５    第３の小分け用容器
１４ａ    開口
１５ｂ    底板部
１５ｃ    側板部
１５ｄ    一方の仕切り板部
１５ｅ    他方の仕切り板部
【図１】
2007331756.tif 000003
【図２】
2007331756.tif 000004
【図３】
2007331756.tif 000005
【図４】
2007331756.tif 000006